(57)【特許請求の範囲】
【請求項１】
１つの第１携帯端末及び少なくとも１つの第２携帯端末を含む複数の携帯端末と無線ＬＡＮ通信する無線通信手段と、
ＰＯＳ端末と有線ＬＡＮ通信する有線通信手段と、
カラオケ曲を出力する演奏手段と、
ユーザログイン後に曲予約するログイン手段と、
を備えたカラオケ装置、を用いたカラオケサービスシステムにおいて、
前記カラオケ装置のアイドル状態を検出するアイドル状態検出手段と、
上記アイドル状態を検出した後に、前記カラオケ装置を設置した部屋が空室状態であることを特定できる空室情報を含む第１ＳＳＩＤを非セキュリティー状態でブロードキャスト送信する第１ＳＳＩＤ送信手段と、
前記第１ＳＳＩＤ送信手段によりブロードキャスト送信された前記第１ＳＳＩＤを受信して表示する表示手段と、
前記第１ＳＳＩＤ送信手段によりブロードキャスト送信された前記第１ＳＳＩＤを受信した前記第１携帯端末からの接続を検出する第１接続検出手段と、
前記第１接続検出手段が接続を検出した後に、前記部屋内でのサービス提供に用いられる固定的な共通ＳＳＩＤを、非セキュリティー状態でブロードキャスト送信する共通ＳＳＩＤ送信手段と、
前記共通ＳＳＩＤ送信手段によりブロードキャスト送信された前記共通ＳＳＩＤを受信した前記第１携帯端末との接続を確立する第１接続確立手段と、
前記第１接続検出手段が接続を検出した後に、前記部屋の利用をシェアする他の利用者を募集する呼込希望情報を含む第２ＳＳＩＤを、非セキュリティー状態でブロードキャスト送信する第２ＳＳＩＤ送信手段と、
前記第２ＳＳＩＤ送信手段によりブロードキャスト送信された前記第２ＳＳＩＤを受信して表示する第２表示手段と、
前記第２ＳＳＩＤ送信手段によりブロードキャスト送信された前記第２ＳＳＩＤを受信した前記第２携帯端末からの接続を検出する第２接続検出手段と、
前記第２接続検出手段が接続を検出した後に、前記共通ＳＳＩＤ送信手段によりブロードキャスト送信された前記共通ＳＳＩＤをさらに受信した前記第２携帯端末との接続を確立する第２接続確立手段と
を備えることを特徴とするカラオケサービスシステム。
【請求項２】
請求項１に記載のカラオケサービスシステムにおいて、
前記第１接続検出手段が前記第１携帯端末からの接続を検出した後に、前記他の利用者の最大人数を指定する人数指定情報を取得する取得手段をさらに有し、
前記第２ＳＳＩＤ送信手段は、
前記人数指定情報で指定された前記利用者の前記最大人数に対応した範囲内となるように、前記少なくとも１つの前記第２携帯端末に対し少なくとも１回の前記第２ＳＳＩＤのブロードキャスト送信を行う
ことを特徴とするカラオケサービスシステム。
【請求項３】
請求項２に記載のカラオケサービスシステムにおいて、
前記取得手段は、
前記他の利用者の最大人数に対応した範囲内を、前記第１、第２の携帯端末を含む複数の携帯端末から取得した人数指定情報の合計とする
ことを特徴とするカラオケサービスシステム。
【請求項４】
請求項２に記載のカラオケサービスシステムにおいて、
前記取得手段は、
前記他の利用者の最大人数に対応した範囲内を、第１ＳＳＩＤに対して最初に応答した前記第１の携帯端末から取得した人数指定情報のみとする
ことを特徴とするカラオケサービスシステム。
【請求項５】
１つの第１携帯端末及び少なくとも１つの第２携帯端末を含む複数の携帯端末と無線ＬＡＮ通信する無線通信手段と、ＰＯＳ端末と有線ＬＡＮ通信する有線通信手段と、
カラオケ曲を出力する演奏手段と、ユーザログイン後に曲予約するログイン手段と、を備えたカラオケ装置の演算手段に対し、
前記カラオケ装置のアイドル状態を検出するアイドル状態検出手順と、
上記アイドル状態を検出した後に、前記カラオケ装置を設置した部屋が空室状態であることを特定できる空室情報を含む第１ＳＳＩＤを非セキュリティー状態でブロードキャスト送信する第１ＳＳＩＤ送信手順と、
前記第１ＳＳＩＤ送信手順での前記第１ＳＳＩＤのブロードキャスト送信を受信した前記第１携帯端末からの接続を検出する第１接続検出手順と、
前記第１接続検出手順で接続を検出した後に、前記部屋内でのサービス提供に用いられる固定的な共通ＳＳＩＤを、非セキュリティー状態でブロードキャスト送信する共通ＳＳＩＤ送信手順と、
前記共通ＳＳＩＤ送信手順での前記共通ＳＳＩＤのブロードキャスト送信を受信した前記第１携帯端末との接続を確立する第１接続確立手順と、
前記第１接続検出手順で接続を検出した後に、前記部屋の利用をシェアする他の利用者を募集する呼込希望情報を含む第２ＳＳＩＤを、非セキュリティー状態でブロードキャスト送信する第２ＳＳＩＤ送信手順と、
前記第２ＳＳＩＤ送信手順での前記第２ＳＳＩＤのブロードキャスト送信を受信した前記第２携帯端末からの接続を検出する第２接続検出手順と、
前記第２接続検出手順で接続を検出した後に、前記共通ＳＳＩＤ送信手順での前記共通ＳＳＩＤのブロードキャスト送信をさらに受信した前記第２携帯端末との接続を確立する第２接続確立手順と
を実行させるための、カラオケサービスプログラム。
【発明の詳細な説明】
【技術分野】
【０００１】
本発明は、カラオケ店舗が所有する各部屋に設置のカラオケ装置と、利用者が所有する携帯端末との間で、無線通信を介して利用者が他の利用者を呼び込むための情報を含む呼込情報を送受するカラオケサービスシステム及びこれに用いられるカラオケサービスプログラムに関する。
【背景技術】
【０００２】
例えば、特許文献１に開示されているように、予約を行う利用者の携帯端末からカラオケ店舗の部屋の予約要求が送信されたとき、その予約要求を受信して予約ログを生成・保持するとともに、携帯端末に予約を特定する予約ＩＤを含む予約チケットを送信し、利用者が予約された部屋の入力手段から予約ＩＤを入力したとき、予約ＩＤと予約ログとを突き合わせて適正な予約であることを確認したらば、部屋のドアを自動開錠し、利用終了時間のときは利用者に退室依頼のメッセージを送信してドアを自動施錠する技術が提案されていた。
【先行技術文献】
【特許文献】
【０００３】
【特許文献１】特開２００６−１０７２０号公報
【発明の概要】
【発明が解決しようとする課題】
【０００４】
しかしながら、例えば、カラオケ店舗の混雑状況等によって、予約又は使用中の部屋の最大利用可能人数が８人であるにもかかわらず、その部屋を４人で利用する場合、人数割りした部屋代の一人あたりの支払金額が割高となってしまうなどの不便を強いられていた。また、カラオケ店舗を利用したくても空室がないために利用することができない空待ちの利用者が増えてしまい少不便であった。
【０００５】
ところで、このようなカラオケサービスシステムにあっては、例えば、カラオケ店舗が携帯端末の通信可能エリア内で予約や使用中である利用者が、同じ部屋を共同（シェア）して利用する他の利用者を呼び込むことができれば、予約又は使用中の部屋を有効利用することができ、人数割りした場合の支払額の負担を軽減することができるばかりでなく、空待ちの利用者を少なくすることができ、利用者の利便性を向上することができる。
【０００６】
本発明の目的は、利用者側の利便性を向上することができるカラオケサービスシステムを提供することにある。
【課題を解決するための手段】
【０００７】
上記目的を達成するために、第１の発明は、１つの第１携帯端末及び少なくとも１つの第２携帯端末を含む複数の携帯端末と無線ＬＡＮ通信する無線通信手段と、ＰＯＳ端末と有線ＬＡＮ通信する有線通信手段と、カラオケ曲を出力する演奏手段と、ユーザログイン後に曲予約するログイン手段と、を備えたカラオケ装置、を用いたカラオケサービスシステムにおいて、前記カラオケ装置のアイドル状態を検出するアイドル状態検出手段と、上記アイドル状態を検出した後に、前記カラオケ装置を設置した部屋が空室状態であることを特定できる空室情報を含む第１ＳＳＩＤを非セキュリティー状態でブロードキャスト送信する第１ＳＳＩＤ送信手段と、前記第１ＳＳＩＤ送信手段によりブロードキャスト送信された前記第１ＳＳＩＤを受信して表示する表示手段と、前記第１ＳＳＩＤ送信手段によりブロードキャスト送信された前記第１ＳＳＩＤを受信した前記第１携帯端末からの接続を検出する第１接続検出手段と、前記第１接続検出手段が接続を検出した後に、前記部屋内でのサービス提供に用いられる固定的な共通ＳＳＩＤを、非セキュリティー状態でブロードキャスト送信する共通ＳＳＩＤ送信手段と、前記共通ＳＳＩＤ送信手段によりブロードキャスト送信された前記共通ＳＳＩＤを受信した前記第１携帯端末との接続を確立する第１接続確立手段と、前記第１接続検出手段が接続を検出した後に、前記部屋の利用をシェアする他の利用者を募集する呼込希望情報を含む第２ＳＳＩＤを、非セキュリティー状態でブロードキャスト送信する第２ＳＳＩＤ送信手段と、前記第２ＳＳＩＤ送信手段によりブロードキャスト送信された前記第２ＳＳＩＤを受信して表示する第２表示手段と、前記第２ＳＳＩＤ送信手段によりブロードキャスト送信された前記第２ＳＳＩＤを受信した前記第２携帯端末からの接続を検出する第２接続検出手段と、前記第２接続検出手段が接続を検出した後に、前記共通ＳＳＩＤ送信手段によりブロードキャスト送信された前記共通ＳＳＩＤをさらに受信した前記第２携帯端末との接続を確立する第２接続確立手段とを備えることを特徴とする。
【０００８】
カラオケ店舗は、例えば、カラオケ店舗内の受付カウンタ等にＰＯＳ端末や各部屋に設置のカラオケ装置を備えている。また、カラオケ店舗のＰＯＳ端末と各部屋に設置のカラオケ装置とは有線通信によって有線ＬＡＮ接続され、ＰＯＳ端末又は各部屋に設置のカラオケ装置は無線通信によってスマートフォンなどの携帯端末と無線ＬＡＮ接続可能となっている。
【０００９】
また、カラオケ装置は、カラオケ曲を出力する演奏手段と、ユーザログイン後に曲予約するログイン手段と、カラオケ装置が非演奏かつ非ログインであるアイドル状態を検出するアイドル状態検出手段と、を備える。
【００１０】
この無線ＬＡＮでは、第１送信手段を用いて１つの第１携帯端末及び少なくとも１つの第２携帯端末を含む複数の携帯端末に対して、アイドル状態検出手段がアイドル状態、すなわち、カラオケ装置を設置した部屋が空室状態であることを特定できる空室情報を含む第１ＳＳＩＤを非セキュリティー状態でブロードキャスト送信する。
【００１１】
これにより、第１ＳＳＩＤを受信した携帯端末の表示画面等の表示手段には、空室情報を含む第１ＳＳＩＤが表示される。ここで、第１ＳＳＩＤを受信した複数の携帯端末のうち、空室情報に基づいて空室を予約した場合、予約完了したことを条件として第１携帯端末となる。なお、この第１携帯端末に対しては、サービス提供に用いられる（固定的な）共通ＳＳＩＤが非セキュリティー状態で送信され、この共通ＳＳＩＤによって第１携帯端末との接続が確立される。
【００１２】
一方、上記のようにして予約完了しサービスの提供を受けている、第１携帯端末を所有する利用者は、第２送信手段を介し、例えば、予約完了後かつ予約した部屋への入室前の予約時や、入室後の利用中（使用中）において、部屋の利用をシェアする他の利用者を募集する呼込希望情報を含む第２ＳＳＩＤを非セキュリティー状態でブロードキャスト送信することができる。
【００１３】
これにより、利用者及び他の利用者は、ブロードキャスト送信された第２ＳＳＩＤを受信して表示画面等に表示することができ、カラオケ店舗において店舗側の空室情報を含む第１ＳＳＩＤとは別に、利用者側の呼込希望情報を表示することができる。この際、第１携帯端末を所有する利用者以外の利用者が所有する携帯端末が第２携帯端末となる。
【００１４】
したがって、第２携帯端末の利用者は、呼込希望情報を含む第２ＳＳＩＤを用いて利用者が予約又は利用している部屋と同じ部屋を共同（シェア）して利用することが可能となる。なお、上記同様、第２携帯端末に対しても、サービス提供に用いられる上記共通ＳＳＩＤが非セキュリティー状態で送信され、この共通ＳＳＩＤによって第２携帯端末との接続も確立される。すなわち、第１携帯端末も第２携帯端末も同一の上記共通ＳＳＩＤを用いて接続が確立されることになる。
【００１５】
以上のようにして、例えば、第２ＳＳＩＤに含まれる人数指定情報で指定した人数又は最大人数の範囲内での呼び込み人数で、カラオケ装置を設置した部屋の共同利用を可能とすることができる。この結果、利用者側の利便性を向上することができる。
【発明の効果】
【００１６】
本発明によれば、利用者側の利便性を向上することができる。
【図面の簡単な説明】
【００１７】
【図１】本発明の一実施形態に係わるカラオケ用通信システムの機能を備えたカラオケシステムの使用例を示す図である。
【図２】本体装置の制御系の主要構成を示す機能ブロック図である。
【図３】ＰＯＳ端末と本体装置と携帯端末とにおける情報送受を説明するシーケンスチャートである。
【図４】利用者の呼び込みに伴う、動的ＳＳＩＤ及び静的ＳＳＩＤを介した本体装置と携帯端末との結びつきの変遷を説明する説明図である。
【発明を実施するための形態】
【００１８】
以下、本発明の一実施の形態について、図面を参照しつつ説明する。
【００１９】
＜主要構成＞
図１に示すように、カラオケサービスシステム１は、本体装置１０とリモコン装置６０と、を有している。なお、図１では、２つのカラオケボックスの部屋Ｒ１，Ｒ２が並ぶカラオケ店舗で使用する例を示しており、各部屋Ｒ１，Ｒ２にそれぞれ１台の本体装置１０及び１つ又は複数のリモコン装置６０が配置されている。本体装置１０及びリモコン装置６０は無線ＬＡＮなどの無線通信を介して操作情報などを送受するが、通常の使用では同じ部屋Ｒ１又は部屋Ｒ２に配置されている各本体装置１０とリモコン装置６０との間でしか無線通信を行う必要がない。また、カラオケサービスシステム１は、例えば、部屋Ｒ１，Ｒ２の室外にあって店舗内の適宜位置（例えば、受付カウンター付近）に、各本体装置１０と有線接続したＰＯＳ（Ｐｏｉｎｔ  Ｏｆ  Ｓｅｒｖｉｃｅ）端末７０を備える。
【００２０】
＜制御系＞
次に、図２を用いて本体装置１０の制御系の主要構成について説明する。本体装置１０は、装置筺体１１に、有線ＬＡＮ回線１２を接続する通信端子１３と、アンプ１４の音声入力端子と接続される音声出力端子１５と、モニタ１６の映像入力端子と接続される映像出力端子１７と、を備えている。
【００２１】
アンプ１４は、１つ以上のマイクロフォン１８から入力される音声信号及び曲の再生信号のミキシングを行うミキシング回路（ＭＩＸ回路）１９を備え、音声と曲との音量バランス、エコー調整、デレィ調整、ミキシング信号の増幅、再生される曲の音程制御、高音、低音の制御などを行う。このアンプ１４から出力される増幅信号は、音としてスピーカ２０から発音される。
【００２２】
この本体装置１０には、後述のステップＳ１〜ステップＳ２１の手順を実行可能な制御プログラム（カラオケサービスプログラム）にしたがって各種制御を実行するＣＰＵ２１が設けられている。ＣＰＵ２１には、リモコン装置６０から送信される処理要求情報に関するデータなどを一時保存するためのＲＡＭ２２と、ＣＰＵ２１により実行されるプログラム及び必要なデータテーブルなどが記憶されたＲＯＭ２３とが接続されている。また、ＣＰＵ２１には、モニタ１６に歌詞テロップや各種メッセージ映像を表示するための文字映像データが記憶されたビデオＲＡＭ２４と、外部のサーバ２５から送信される楽曲データ、歌詞データ、及び映像データなどの各種データを通信端子１３及び有線ＬＡＮ回線１２を介して受信するための有線ＬＡＮ制御部２６と、この有線ＬＡＮ制御部２６により受信される楽曲データ及び動画データ等を保存するためのＨＤＤ２７とが接続されている。ＨＤＤ２７には、背景映像を示す背景映像データも保存（記憶）されている。
【００２３】
さらに、ＣＰＵ２１には、ＨＤＤ２７から読み出された曲データに含まれるＭＩＤＩデータを入力するとともに、その入力されたＭＩＤＩデータにより指定される音源から音源信号を出力するＭＩＤＩ音源ボード２８が接続されている。また、ＣＰＵ２１には、上記出力された音源信号を入力してアンプ１４により増幅可能な信号に変換する音声制御回路２９が接続されている。また、ＣＰＵ２１には、サーバ２５から受信した上記動画データ等を映像出力端子１７を介してモニタ１６に表示するための映像制御を行う映像制御回路３１が接続されている。
【００２４】
さらに、ＣＰＵ２１には、本体装置１０の装置筺体１１に設けられたアンテナ３２を介してスマートフォンなどの携帯端末５１（５２）と無線通信により情報送受するための無線ＬＡＮ制御部３３が接続されている。この無線ＬＡＮ制御部３３には、送信部３３ａと受信部３３ｂが備えられている。
【００２５】
また、ＣＰＵ２１には、本体装置１０の筺体に設けられた各種ボタン・キー３４（テンキー、選曲ボタン等）を押したときに点灯するＬＥＤ３５へ表示信号を出力する表示回路３６と、上記各種ボタン、キー３４を押したときに発生するスイッチング信号を入力する入力回路３７とが接続されている。
【００２６】
さらに、ＣＰＵ２１には、本体装置１０の装置筺体１１に設けられた受光部３８を介してリモコン装置６０と赤外通信により情報受信するための変換回路３９が接続されている。
【００２７】
なお、本実施形態の例では、リモコン装置６０をカラオケサービスシステム１における専用の機器として構成しているが、同等の機能構成を有するスマートフォンやタブレット端末等の携帯端末５１（５２）を利用してもよい。この場合には、あらかじめ携帯端末５１（５２）にリモコン装置６０と同等の機能を実現するアプリケーションプログラムをインストールしておく必要がある。この、アプリケーションプログラムは、インターネット回線を通じてダウンロードしてもよいし、来店後にＰＯＳ端末７０や本体装置１０からダウンロードすることもできる。特に、本体装置１０のＲＯＭ２３やＨＤＤ２７に格納したアプリケーションプログラムをインストールした場合には、他の部屋の本体装置１０との通信が成立しないよう、識別コードを付与したアプリケーションプログラムを容易にダウンロードすることができる。
【００２８】
このように、カラオケ店舗は、例えば、カラオケ店舗内の受付カウンタ等にＰＯＳ端末７０を備えている。また、カラオケ店舗の各部屋Ｒ１，Ｒ２に設置のカラオケ装置の本体装置１０は、スマートフォンなどの携帯端末５１（５２）と無線ＬＡＮ通信する無線ＬＡＮ制御部３３と、ＰＯＳ端末７０と有線ＬＡＮ通信する有線ＬＡＮ制御部２６と、の２系統の通信手段を備える。
【００２９】
さらに、カラオケ装置の本体装置１０は、カラオケ曲を出力するモニタ１６やスピーカ２０等の演奏手段と、ユーザログイン後に曲予約するログイン手段としてのリモコン装置６０と、カラオケ装置の本体装置１０が非演奏かつ非ログインであるアイドル状態を検出するアイドル状態検出手段としてのＰＯＳ端末７０（又はＣＰＵ２１）と、を備える。
【００３０】
そして、各部屋Ｒ１，Ｒ２に設置のカラオケ装置の本体装置１０は、ＣＰＵ２１の制御によりアイドル状態を検出したらば、無線ＬＡＮ制御部３３からアンテナ３２を介して、カラオケ装置の本体装置１０を設置した部屋Ｒ１，Ｒ２が空室状態（例えば、図１の部屋Ｒ２）であることを利用者が特定することのできる空室情報、例えば、仮番号、店舗名、部屋番号、空室状態、予約状態などを含む第１動的ＳＳＩＤを非セキュリティー状態でブロードキャスト送信する。なお、ＳＳＩＤ（Ｓｅｒｖｉｃｅ  Ｓｅｔ  Ｉｄｅｎｔｉｆｉｅｒ）は、文字情報に制限（３２文字）があるため、この範囲内において所要の空室情報を第１動的ＳＳＩＤとして送信する。
【００３１】
一方、携帯端末５１（５２）は、ブロードキャスト送信された第１動的ＳＳＩＤを受信して表示画面５０ａに表示するとともに、ブロードキャスト送信を受信した携帯端末５１（５２）であることをＰＯＳ端末７０（又はカラオケ装置の本体装置１０）に検出させる。
【００３２】
ここで、カラオケ装置の本体装置１０は、同一の携帯端末５１（５２）から予約がなされた場合には、第１動的ＳＳＩＤを、非空室状態となったことを特定できる非空室情報、例えば、店舗名、部屋番号、使用中又は予約有りなどを含む新たな第１動的ＳＳＩＤに変更してブロードキャスト送信する。
【００３３】
これにより、例えば、予約を行った利用者が所有する携帯端末５１は、第１携帯端末５１として識別され、ブロードキャスト送信された第１動的ＳＳＩＤを受信して予約状況を表示手段に表示することができ、予約の確認をすることができる。
【００３４】
したがって、カラオケ装置の本体装置１０は、各部屋Ｒ１，Ｒ２の単位で第１動的ＳＳＩＤをブロードキャスト送信することで、利用者側がＰＯＳ端末７０にアクセスすることなく、今現在において空室となっている空室状態や、今現在は使用中であっても空いている時間を確認することができる予約状態等を、簡素なＳＳＩＤで認識することができる。
【００３５】
そして、カラオケ装置の本体装置１０は、予約がなされた場合には、非空室状態である旨を認識させる新たな第１動的ＳＳＩＤをブロードキャスト送信すれば、予約を行った利用者にあっては、その予約操作の確認をすることができ、これから利用をしようとする他の携帯端末５２に対して非空室状態である旨を認識させることができる。
【００３６】
なお、ＰＯＳ端末７０は、予約された旨がカラオケ装置の本体装置１０から有線ＬＡＮ回線１２を介して通知されることにより、予約後の接客対応に利用することが可能となる。
【００３７】
そして、第１携帯端末５１は、来店時においてＰＯＳ端末７０とで来店の確認がなされ、このＰＯＳ端末７０又は予約した部屋Ｒ２に設置の本体装置１０とで無線接続するための識別情報を取得し、部屋Ｒ２の利用中において本体装置１０との無線接続の容易化（簡略化）に貢献することができる。
【００３８】
次に、第１携帯端末５１を所有する利用者は、この部屋Ｒ２の入室後において静的ＳＳＩＤを用いた部屋の利用をシェアする他の利用者を募集する呼込希望情報を含む第２動的ＳＳＩＤを非セキュリティー状態でブロードキャスト送信する手続きのための処理を経て、第２携帯端末５２に向けて第２動的ＳＳＩＤをブロードキャスト送信する。
【００３９】
＜本実施形態の特徴＞
次に、図３に基づいて、本実施形態のサービス例を説明する。なお、図３に示すシーケンスにおいて、手順Ｓの順番を［  ］内の数字で示す。
【００４０】
まず、手順Ｓ１において、ＰＯＳ端末７０は、カラオケ店舗全体の各部屋の使用状態や予約状態を掌握していることから、空室であるアイドル状態の場合、その旨を本体装置１０に認識させるための通知を出力する。また、この通知には、予約をする際に使用する仮番号を発行し、その仮番号を通知する。
【００４１】
次に、手順Ｓ２において、本体装置１０は、アクセスポイント（無線通信手段・第１送信手段）である無線ＬＡＮ制御部３３に対し、仮番号に加え、例えば、店舗名、部屋番号、空室状態、予約状態といった予約に必要な空室情報を含む第１動的ＳＳＩＤの作成指示を通知する。
【００４２】
手順Ｓ３において、無線ＬＡＮ制御部３３は、その第１動的ＳＳＩＤを非セキュリティー状態でアンテナ３２からブロードキャスト送信する（図４（ａ）も参照）。
【００４３】
一方、手順Ｓ４において、第１携帯端末５１は、この第１動的ＳＳＩＤを受信することにより、表示画面５１ａに、受信した第１動的ＳＳＩＤを表示する。これにより、表示手段５１ａには、「ＪＯＹ  ＸＸＸ  Ｒｍ２０１  ＯＫ」等の空室情報を含む第１動的ＳＳＩＤが表示される。なお、この空室情報である「ＪＯＹ  ＸＸＸ  Ｒｍ２０１  ＯＫ」のうち、「ＪＯＹ」は店舗名、「Ｒｍ２０１」は部屋Ｒ２の部屋番号、「ＯＫ」は空室、「ＸＸＸ」は仮番号を示す。逆に、「ＯＫ」が「ＮＧ」の場合、その部屋は使用中である使用中（又は予約有り）情報である旨を示す。なお、この空室情報や使用中情報は、第１動的ＳＳＩＤのうちの一部である。
【００４４】
ここで、手順Ｓ５において、第１携帯端末５１は、ＰＯＳ端末７０に受信した仮番号を通知することにより、第１動的ＳＳＩＤを受信した利用者の携帯端末を第１携帯端末５１として受け付ける。
【００４５】
その後、手順Ｓ６において、第１携帯端末５１は、ＰＯＳ端末７０での受付が完了した後に、無線ＬＡＮ制御部３３に対して予約番号と仮番号等とを用いて仮接続する。すなわち、この手順Ｓ６において、無線ＬＡＮ制御部３３は、第１動的ＳＳＩＤをブロードキャスト送信を受信した第１携帯端末５１からの接続を検出する第１接続検出手段を構成する。
【００４６】
手順Ｓ７において、本体装置１０と第１携帯端末５１とは、例えば、第１携帯端末５１の表示画面５１ａに予約用のＷｅｂページを表示させ、部屋Ｒ２の予約処理を行うとともに、来店時にＰＯＳ端末７０と第１携帯端末５１との間で来店の受け付け等を行うための予約通知と予約番号とを発行・記憶する。
【００４７】
手順Ｓ８において、第１携帯端末５１は、例えば、来店時でのＰＯＳ端末７０との受付後、部屋Ｒ２に設置の本体装置１０に対して、予約番号（又は受付後の会員番号等）を用いて無線接続情報を通知し、無線ＬＡＮ接続を確立する。
【００４８】
手順Ｓ９において、本体装置１０は、無線ＬＡＮ制御部３３に静的ＳＳＩＤ作成指示を通知する。この静的ＳＳＩＤとは、本体装置１０と第１携帯端末５１との間で、第１携帯端末５１を特定するとともに、他の携帯端末との接続を排除するため、すなわち、部屋Ｒ２とその利用者とを関連付けた無線ＬＡＮ接続とするものである。
【００４９】
ただし、手順Ｓ１０において、無線ＬＡＮ制御部３３は、第１携帯端末５１に対してのみではなく、その静的ＳＳＩＤを非セキュリティー状態でアンテナ３２からブロードキャスト送信する。なお、この静的ＳＳＩＤは、後述するように、後続の第２携帯端末５２に対しても送信される（すなわち第１携帯端末５１と第２携帯端末５２とで共用される）ものである。
【００５０】
手順Ｓ１１において、第１携帯端末５１は、手順Ｓ８の無線接続情報と受信した静的ＳＳＩＤとを利用して無線ＬＡＮ制御部３３と無線ＬＡＮの本接続を確立する（図４（ｂ）参照）。ここで、静的ＳＳＩＤには、第１携帯端末５１から本体装置１０に対して部屋Ｒ２を共同（シェア）して利用する呼び込み可能とするための文字列を含んでいる。
【００５１】
手順Ｓ１２において、第１携帯端末５１は、本体装置１０に対して部屋Ｒ２を共同（シェア）して利用する呼び込み人数を通知する。
【００５２】
手順Ｓ１３において、本体装置１０は、アクセスポイント（第２送信手段）である無線ＬＡＮ制御部３３に対し、部屋Ｒ２の利用をシェアする他の利用者を募集する呼び込み人数に対応する呼込希望情報を含む第２動的ＳＳＩＤの作成指示を通知する。
【００５３】
手順Ｓ１４において、無線ＬＡＮ制御部３３は、部屋Ｒ２の利用をシェアする他の利用者を募集する呼び込み人数に対応する呼込希望情報を含む第２動的ＳＳＩＤを非セキュリティー状態でブロードキャスト送信する（図４（ｂ）参照）。
【００５４】
手順Ｓ１５において、第１携帯端末５１とは別の携帯端末である第２携帯端末５２が第２動的ＳＳＩＤを受信することにより、表示画面５２ａに、受信した第２動的ＳＳＩＤを表示する。なお、第２動的ＳＳＩＤは、第１動的ＳＳＩＤと全く同じでもよいし、例えば、「ＪＯＹ  ＸＸＸ  Ｒｍ２０１  ２」等の呼込希望情報を含む独自の第２動的ＳＳＩＤが表示される。なお、この呼込希望情報である「ＪＯＹ  ＸＸＸ  Ｒｍ２０１  ２」のうち、「ＪＯＹ」は店舗名、「Ｒｍ２０１」は部屋Ｒ２の部屋番号、「２」は呼び込み人数、「ＸＸＸ」は仮番号を示す。なお、「２」が「ＮＧ」の場合、その部屋は呼び込み完了情報である旨を示す。
【００５５】
手順Ｓ１６において、第２携帯端末５２は、無線ＬＡＮ制御部３３に対して仮接続する。すなわち、この手順Ｓ１６において、無線ＬＡＮ制御部３３は、第２動的ＳＳＩＤをブロードキャスト送信を受信した第２携帯端末５２からの接続を検出する第２接続検出手段を構成する。
【００５６】
手順Ｓ１７において、本体装置１０と第２携帯端末５２とは、例えば、第２携帯端末５２の表示画面５２ａに予約用のＷｅｂページを表示させ、部屋Ｒ２の呼び込み希望処理を行うとともに、来店時にＰＯＳ端末７０と第２携帯端末５２との間で来店の受け付け等を行うための予約通知（又は呼び込み希望人数）と予約番号とを発行・記憶する。
【００５７】
手順Ｓ１８において、第２携帯端末５２は、例えば、来店時でのＰＯＳ端末７０との受付後、部屋Ｒ２に設置の本体装置１０に対して、予約番号（又は受付後の会員番号等）を用いて無線接続情報を通知し、無線ＬＡＮ接続を確立する。
【００５８】
手順Ｓ１９において、本体装置１０は、無線ＬＡＮ制御部３３に再度静的ＳＳＩＤ作成指示を通知する。この静的ＳＳＩＤは、上記手順１０で送信されたものと共通のＳＳＩＤ（すなわち第１携帯端末と共用するＳＳＩＤ）であり、本体装置１０と第１携帯端末５１、さらには第２携帯端末５２を関連付けて無線ＬＡＮ接続するためのものである。
【００５９】
手順Ｓ２０において、無線ＬＡＮ制御部３３は、上記共用の静的ＳＳＩＤを非セキュリティー状態でアンテナ３２から再びブロードキャスト送信する。
【００６０】
手順Ｓ２１において、第２携帯端末５２は、手順Ｓ１８の無線接続情報と受信した共用の静的ＳＳＩＤとを利用して無線ＬＡＮ制御部３３と無線ＬＡＮの本接続を確立する（図４（ｃ）参照）。
【００６１】
以降、上記同様の手法を繰り返し、新たな動的ＳＳＩＤ（第３動的ＳＳＩＤ、第４動的ＳＳＩＤ、・・）を用いて、新たな携帯端末（第３携帯端末、第４携帯端末、・・）の利用者を順次呼び込む。そして、呼び込み後の利用者の携帯端末に対しては、上記第１及び第２携帯端末５１，５２と共通の、上記共用の静的ＳＳＩＤを用いて、順次接続を確立する（図４（ｄ）参照）。
【００６２】
なお、上述した手順Ｓ１２での呼び込み人数通知では、呼び込み人数を限定している場合（例えば、「２人に限定」）と、呼び込み最大人数を指定している場合（例えば、「最大で２人」）と、の２通りがある。
【００６３】
この際、「２人に限定」の場合も「最大（合計）で２人」の何れの場合も、第３携帯端末を含む複数のグループ（又は個人）とすることも可能である。
【００６４】
これにより、第１携帯端末５１を所有する利用者は、空室情報を取得して予約を行うとともに、その予約完了から退室するまでの所望の期間において、第２携帯端末５２を所有する他の利用者を呼び込むことができる。この結果、利用者側の利便性を向上することができる。
【００６５】
なお、以上既に述べた以外にも、上記実施形態による手法を適宜組み合わせて利用してもよい。
【００６６】
また、予約番号は、例えば、ＩＰアドレスやＭＡＣアドレスといった携帯端末を識別する情報を用いてもよい。
【００６７】
すなわち、第１携帯端末５１及び第２携帯端末５２にスマートフォンを利用する結果、本体装置１０の部屋Ｒ２に入室する利用者はスマートフォンを持っていることになるため、第１動的ＳＳＩＤ及び第２動的ＳＳＩＤに通知した利用者とその利用者人が通知した人数であれば、スマートフォンを持っていない利用者も部屋Ｒ２に入室することができる。
【００６８】
その他、一々例示はしないが、本発明は、その趣旨を逸脱しない範囲内において、種々の変更が加えられて実施されるものである。
【符号の説明】
【００６９】
１          カラオケサービスシステム
１０        本体装置
２６        有線ＬＡＮ制御部（有線通信手段）
３３        無線ＬＡＮ制御部（無線通信手段）
５１        第１携帯端末（表示手段）
５２        第２携帯端末（表示手段）
６０        リモコン装置（ログイン手段）
７０        ＰＯＳ端末（アイドル状態検出手段・接続検出手段）
Ｒ１、Ｒ２  部屋
【図１】
0006398818.tif 000002
【図２】
0006398818.tif 000003
【図３】
0006398818.tif 000004
【図４】
0006398818.tif 000005